(57)【要約】【課題】  従来よりも容易に製造することができる送付用情報記録冊子の製造方法を提供しようとするもの。【解決手段】  感圧接着剤２が付された３葉以上の用紙が綴じ辺３により冊子状に接着一体化され前記綴じ辺３の対向辺４は開封が可能に接着された送付用情報記録冊子の製造方法であって、前記用紙にそれぞれの内容をプリントするプリント工程と、プリントされた用紙が送付用情報記録冊子としての構成単位順に積層されるように帳合する帳合工程と、構成単位順に積層された前記用紙をプレスして接着させるプレス接着工程とを有する。【選択図】  図１
2006315253.tif 000002
【特許請求の範囲】
【請求項１】
感圧接着剤（２）が付された３葉以上の用紙が綴じ辺（３）により冊子状に接着一体化され前記綴じ辺（３）の対向辺（４）は開封が可能に接着された送付用情報記録冊子の製造方法であって、前記用紙にそれぞれの内容をプリントするプリント工程と、プリントされた用紙が送付用情報記録冊子としての構成単位順に積層されるように帳合する帳合工程と、構成単位順に積層された前記用紙をプレスして接着させるプレス接着工程とを有することを特徴とする送付用情報記録冊子の製造方法。
【請求項２】
前記３葉以上の用紙には異種用紙を混在させるようにした請求項１記載の送付用情報記録冊子の製造方法。
【請求項３】
連接２面の内容が配置されるサイズの用紙にプリントし、前記用紙を２つに折り曲げてプレスするようにした請求項１又は２記載の送付用情報記録冊子の製造方法。
【発明の詳細な説明】
【技術分野】
【０００１】
この発明は、各種カードの利用明細・請求書などの通信事務印刷物の送付や、広告宣伝用のカタログ・パンフレットなどのダイレクトメール（ＤＭ）配信などに利用できる送付用情報記録冊子の製造方法に関するものである。
【背景技術】
【０００２】
従来より、各種カードの利用明細・請求書などの通信事務印刷物や、広告宣伝用のカタログ・パンフレットなどのダイレクトメールは封筒に封入して送り先に郵送していた。
【０００３】
また図１に示すように、枚葉物、冊子、封筒とを別々に製造することなく、一つの封書用シートから、枚葉物と冊子とを有した封書が得られるようにし、封書の送付に際する手間を軽減するとともに封書を効率よく製造できるようにすることを課題とした封書が提案されている（例えば特許文献１参照）。
【０００４】
この封書は、五枚の紙片２、３、４、５、６を連接してシート一端部側から巻き折り状に折り畳んで形成した封書の開封により、二片の紙片２、３からなる枚葉部と、一枚の紙片４と二枚の紙片５、６とかなる冊子部とに分離する構成としている。
【０００５】
しかし、この封書の製造は複雑な折り加工をともなうためやはり製造工程が複雑であるという問題があった。
【特許文献１】特開２００３―２５１９６６号公報（図１）
【発明の開示】
【発明が解決しようとする課題】
【０００６】
そこでこの発明は、従来よりも容易に製造することができる送付用情報記録冊子の製造方法を提供しようとするものである。
【課題を解決するための手段】
【０００７】
前記課題を解決するためこの発明では次のような技術的手段を講じている。
(１)この発明の送付用情報記録冊子の製造方法は、感圧接着剤が付された３葉以上の用紙が綴じ辺により冊子状に接着一体化され前記綴じ辺の対向辺は開封が可能に接着された送付用情報記録冊子の製造方法であって、前記用紙にそれぞれの内容をプリントするプリント工程と、プリントされた用紙が送付用情報記録冊子としての構成単位順に積層されるように帳合する帳合工程と、構成単位順に積層された前記用紙をプレスして接着させるプレス接着工程とを有することを特徴とする。
【０００８】
この送付用情報記録冊子の製造方法によると、それぞれの内容がプリントされた用紙が送付用情報記録冊子としての構成単位順に積層されるように帳合する帳合工程と構成単位順に積層された前記用紙をプレスして接着させるプレス接着工程とを有し、用紙は感圧接着剤が付されて帳合され積層されるので、プリント後にプレスすることにより一遍に冊子状に形成することができる。
【０００９】
ここで、プリントする内容等は送付先に応じてコンピュータにより可変対応することができる。前記感圧接着剤は、通常の状態では接着せず接着剤面を対向させ圧をかけることで接着するものとすることができ、綴じ辺では強接着に、前記綴じ辺の対向辺では弱接着となるように設定することができる。また前記３葉以上の用紙として、例えば４葉の場合は４枚の用紙としてもよいし、倍の大きさの２枚の用紙を折り曲げて４葉にしてもよい。
【００１０】
なお旧来からの郵便による郵送と共に民間の所謂メール便を利用した配信・送付も急速に普及しており、前記送付とは郵便による郵送とメール便を利用した配信その他の新しいサービス形態を総称する。この送付用情報記録冊子は、プレス製本したものの先頭の用紙と最終の用紙が封筒の代用となり、そのまま送付を行うことができる。
【００１１】
(２) 前記３葉以上の用紙には異種用紙を混在させるようにしたこととしてもよい。
このように構成すると、この送付用情報記録冊子に対する返信用の申し込みはがきや申し込み用封書が添付したりすることができる。例えば、切り取りミシン線で切り出せるように区画された返信用はがきの用紙を含むようにしたり、返信用封書を形作る用紙を含むようにすることができる。
【００１２】
(３) 連接２面の内容が配置されるサイズの用紙にプリントし、前記用紙を２つに折り曲げてプレスするようにしたこととしてもよい。
【００１３】
このように構成すると、例えばＡ３版サイズ（冊子を２面配置する用紙サイズ）にプリントして帳合まで進め、略中央で２つに折り曲げた状態でプレスし接着することよりＡ４版サイズの通信広告冊子を形成することができる。
【００１４】
(４) 前記３葉以上の用紙は冊子受取り後に開封するための指がかりを補助する階段状端差部が形成されるように外周形状を異ならしめていることとしてもよい。
【００１５】
このように構成すると、この送付用情報記録冊子を開封する際には階段状端差部に指をかけて開封することにより冊子状に開いて内容を視認することができる。ここで上記感圧接着剤によってプレス後には隣接する用紙が相互に接着されるが、前記開封する領域については用紙を大きく損傷させないで容易に剥がすことができると共に意図的な剥離動作をしなければ接着を維持できるような擬似接着とするとよい。
【発明の効果】
【００１６】
この発明は上述のような構成であり、次の効果を有する。
【００１７】
プリントされた用紙をプレスすることにより一遍に冊子状に形成することができるので、従来よりも容易に製造することができる送付用情報記録冊子の製造方法を提供することができる。
【発明を実施するための最良の形態】
【００１８】
以下、この発明の実施の形態を図面を参照して説明する。
【００１９】
図１及び図２に示すように、この実施形態の送付用情報記録冊子１の製造方法は、感圧接着剤２が付された３葉・３枚のＡ４版サイズの用紙（表表紙ａ、中紙ｂ、裏表紙ｃ）が綴じ辺３により冊子状に接着一体化され、前記綴じ辺３の対向辺４は開封が可能に接着される。
【００２０】
そして、前記用紙にそれぞれの内容をプリントするプリント工程と、プリントされた用紙が送付用情報記録冊子１としての構成単位順に積層されるように帳合する帳合工程と、構成単位順に積層された前記用紙をプレスして接着させるプレス接着工程とを有する。
【００２１】
この送付用情報記録冊子１は、各種カードの利用明細・請求書などの通信事務印刷物の送付や、広告宣伝用のカタログ・パンフレットなどのダイレクトメール（ＤＭ）配信、前記通信事務内容と宣伝広告内容との複合配信などに利用することができる。各用紙にプリントする通信事務や宣伝広告の内容は、送付先に応じてコンピュータ（パソコン等）により可変対応する。前記表表紙ａの表面側には、ＤＭとしての宛名情報記載領域５を有する。
【００２２】
ここで、コンピュータを用いて個人や法人に個別に関連付けられたコンテンツをＰＩＤ（プリントイメージデータ）として編成し、このＰＩＤをＰＯＤ（プリントオンデマンド）によってプリントすることにより、可変対応が可能（小ロットにも対応が可能）な送付用情報記録冊子１を作成することができる。前記宣伝広告の内容として、過去のコンピュータデータ（物品購入履歴など）により送付先の個別の嗜好に合致した内容を選択すると効果的であり、前記ＰＩＤの中に写真等も可変処理して挿入することによって訴求力を高め宣伝広告効果をより向上させることができる。
【００２３】
プリント工程でプリントすべき前記用紙（表表紙ａ、中紙ｂ、裏表紙ｃ）相互間の接合箇所には、感圧接着剤２（通常の状態では接着せず接着剤面を対向させ圧をかけることで接着するもの、プレス前のプリント時等には接着性は発揮されない）が予め付着されている。表表紙ａの表面側と裏表紙ｃの裏面側には、感圧接着剤は不要であるので付着させていない。接着剤面のパターンとして、綴じ辺３では線状に形成し（強い接着強度が得られるように設定している）、その対向辺４の開封接着領域は複数の円状に形成しているが（易開封となるように設定している）、冊子の形状等に応じて適宜設定することが可能である。
【００２４】
プレス接着工程の前工程として、プリントされた用紙が送付用情報記録冊子１としての構成単位順に積層されるように帳合する帳合工程を有する。すなわち、例えば３葉構成の冊子を構成する用紙葉として１枚目ばかり、２枚目ばかり、３枚目ばかり…をそれぞれ一遍にプリントしておき、これらの各用紙葉の集積から冊子の構成ページ順に選択して積層し、複数部の冊子をまとめて又は１部づつプレスし製本することができる。帳合とは、用意された部材用紙の各集積から冊子のページ順となるように選択して積層することである。人手で行うことができるが、自動制御機構を持った機械的な帳合機を用いることもできる。なお、帳合時に全ての用紙がプリンター出力された用紙である必要はなく、例えば２葉目を通常のプリンター出力ではないオフセット印刷された用紙とするといった組合せとしてもよい。
【００２５】
前記３葉の用紙（表表紙ａ、中紙ｂ、裏表紙ｃ）は、冊子受取り後に開封するための指がかりを補助する階段状端差部６が形成されるように外周形状を異ならしめている。また、前記階段状段差部は、綴じ辺３の対向辺４の角部のカット部の大きさが表面側から裏面側に向けて段階的に小さくなるように設定している。具体的には、裏表紙ｃとなる用紙を除いて、綴じ辺３の対向辺４の下方の角部が３ｍｍから２０ｍｍの辺を持つ概略三角形として切り取られた各葉を用いている（裏表紙ｃには指がかり用の切り込みはない）。
【００２６】
上記感圧接着剤２によってプレス接着工程でのプレス後には隣接する用紙が相互に接着されるが、既述のように、前記感圧接着剤２は綴じ辺３では強接着に、前記綴じ辺３の対向辺４では弱接着となるように設定していると共に、綴じ辺３の対向辺４の開封する領域については、用紙を大きく損傷させないで容易に剥がすことができると共に意図的な剥離動作をしなければ接着を維持できるような擬似接着としている。
【００２７】
そして、前記用紙が冊子の構成ページ順に積層された状態でプレスすることにより、綴じ辺３とその対向辺４の開封接着領域の感圧接着剤２を接着させて冊子状に形成する。表表紙ａと裏表紙ｃは冊子の外装面となり、全体として送付するための封書として機能する。
【００２８】
次に、この実施形態の送付用情報記録冊子の製造方法の使用状態を説明する。
【００２９】
この送付用情報記録冊子の製造方法によると、それぞれの内容がプリントされた用紙が送付用情報記録冊子１としての構成単位順に積層されるように帳合する帳合工程と構成単位順に積層された前記用紙をプレスして接着させるプレス接着工程とを有し、用紙は感圧接着剤２が付されて帳合され積層されるので、プリント後にプレスすることにより一遍に冊子状に形成することができ、従来よりも容易に製造することができるという利点がある。この送付用情報記録冊子１は、プレス製本したものの先頭の用紙と最終の用紙が封書の代用となり、そのまま送付を行うことができる。
【００３０】
また、前記３葉以上の用紙は冊子受取り後に開封するための指がかりを補助する階段状端差部６が形成されるように外周形状を異ならしめており、この送付用情報記録冊子１を開封する際には階段状端差部６に指をかけて開封することにより冊子状に開いて内容を視認することができるという利点がある。
【００３１】
さらに、前記階段状段差部は綴じ辺３の対向辺４の角部のカット部の大きさが表面側から裏面側に向けて段階的に小さくなるように設定しており、表面側の頁から順次開封していく際にめくり易い。また、角部の階段状段差部以外は各葉を同形状とすることができるので、冊子状に一体化したときに積層された冊子の強度を全体として保持し易く、これによってより重要な（秘密性が高い）情報を送付する場合にも途中における破損事故などを抑制することができる。また、冊子としての強度を保持し易いので、より薄い紙でも形成することが可能となる。さらに角部以外は各葉とも同形状・同サイズとすることができるので、プリントする場合にもプリンタのセッティングが容易である。すなわち、例えばＡ４版の場合、角部をカットした用紙を複数種用意すればよく、プリンタの用紙カセットとして定型サイズのものをそのまま使用することができる。
【実施例】
【００３２】
次に、この発明の構成をより具体的に説明する。
【００３３】
図３乃至図５に示すように、この実施例の送付用情報記録冊子１として、４枚のＡ４版サイズの用紙で４葉構成（表表紙ａ、中紙ｂ１、ｂ２、裏表紙ｃ）の商品カタログを形成した。この商品カタログの表表紙ａの表面側には、ＤＭとしての宛名情報記載領域５を有する。
【００３４】
前記用紙（表表紙ａ、中紙ｂ１、ｂ２、裏表紙ｃ）は、冊子受取り後に開封接着領域を剥がすための指がかりを補助する階段状端差部６が形成されるように外周形状を異ならしめていると共に、前記階段状段差部は、綴じ辺３と対向辺４との間の幅が表面側から裏面側に向けて段階的に長くなるように設定している。また前記用紙には異種用紙を混在させるようにしており、裏表紙ｃとして切り取りミシン線で切り出せるように区画された返信用はがき７を含むようにしている。
【００３５】
前記感圧接着剤２は、接着箇所では対面する用紙の双方に塗布している。冊子の綴じ辺３では強い接着強度が得られるように設定しており、その対向辺４では易開封となるように設定している。なお、表表紙ａの表面側と裏表紙ｃの裏面側には感圧接着剤２は塗布していないが、中紙ｂ１、ｂ２は両面に感圧接着剤２を塗布している。ここで開封時の用紙の表面紙ムケ事故をケアするために、開封部の接着剤と用紙の間に透明インクで膜を形成しておくことも有効である。また、このインクにシリコン等離型作用の強い物質が多く配合されたものを選択することも有効である。前記感圧接着剤２として、水性エマルジョンタイプの天然ゴム主成分のラテックス系のもの（サイデン化学社製、商品名ＭＵＸ−１０１）を用いた。
【００３６】
そして、両面カラー・プリントされた用紙が冊子の構成ページ順に積層された状態でプレスして接着させ、平綴じして接着することによりＡ４版サイズの４葉構成の送付用情報記録冊子１を形成した。なお、平綴じではなく、冊子の綴じ辺３となる接着箇所に感圧接着剤２が予め塗布されているＡ３版（Ａ４版の倍の連接２面の内容が配置されるサイズ）の２枚の用紙に両面カラー・プリントして帳合まで進め、これを略中央で２つに折り曲げ、中綴じしてプレスし接着することによっても形成することもできる（図示せず）。
【００３７】
次に、この通信広告冊子１のプリントシステムの使用状態を説明する。
【００３８】
この送付用情報記録冊子の製造方法によると、それぞれの内容がプリントされた用紙が送付用情報記録冊子１としての構成単位順に積層されるように帳合する帳合工程と構成単位順に積層された前記用紙をプレスして接着させるプレス接着工程とを有し、用紙は感圧接着剤２が付されて帳合され積層されるので、プリント後にプレスすることにより一遍に冊子状に形成することができ、従来よりも容易に製造することができるという利点がある。この送付用情報記録冊子１は、プレス製本したものの先頭の用紙と最終の用紙が封書の代用となり、そのまま送付を行うことができる。
【００３９】
また、前記階段状段差部は、綴じ辺３と対向辺４との間の幅が表面側から裏面側に向けて段階的に長くなるように設定しており、表面側の頁から順次開封していく際にめくり易い。また、端差部６は開封指がかりになると同時に、該当頁のインデックスとして利用することにより内容の確認を容易に行うことができる。例えば通信事務内容として請求書を送付する場合、２葉目の段差部に「ご利用明細」と表示し、３葉目の段差部に「キャンペーンのご案内」と表示し、４葉目の段差部に「申込方法について」と表示すると（図示せず）、冊子の内容を表面から一目で把握することができる（なお、冊子の１葉目は外面から視認できるからインデックスは表示しなくてもよい）。
【００４０】
さらに、前記用紙には異種用紙を混在させるようにしており、この送付用情報記録冊子１に対する返信用の申し込みはがき７や申し込み用封書（図示せず）が添付したりすることができる。例えば、切り取りミシン線で切り出せるように区画された返信用はがき７の用紙を含むようにしたり、返信用封書を形作る用紙を含むようにすることができるという利点がある。
【産業上の利用可能性】
【００４１】
プリントされた用紙をプレスすることにより一遍に冊子状に形成することができ、従来よりも容易に製造することができることによって、種々の送付用情報記録冊子の製造方法の用途に適用することができる。
【図面の簡単な説明】
【００４２】
【図１】この発明の送付用情報記録冊子の製造方法の実施形態を説明する図。
【図２】図１の送付用情報記録冊子を詳細に説明する図。
【図３】この発明の実施例についての送付用情報記録冊子で表表紙から見た状態を説明する斜視図。
【図４】図３の送付用情報記録冊子を裏表紙から見た状態を説明する斜視図。
【図５】図３の送付用情報記録冊子の階段状段差部の断面図。
【符号の説明】
【００４３】
２  感圧接着剤
３  綴じ辺
４  対向辺
【図１】
2006315253.tif 000003
【図２】
2006315253.tif 000004
【図３】
2006315253.tif 000005
【図４】
2006315253.tif 000006
【図５】
2006315253.tif 000007